(57)【特許請求の範囲】
【請求項１】
冷蔵室及び冷凍室を備え、前記冷蔵室と前記冷凍室との間に、前記冷凍室の冷気を前記冷蔵室に案内する冷気供給通路、及び前記冷蔵室の冷気を前記冷凍室に案内する冷気吸入通路を備えた本体と、
前記本体の冷気吸入通路に備えられる脱臭剤組立体とを含み、
前記脱臭剤組立体は、
微細多孔を有するメッシュタイプに形成された脱臭剤と、
前記脱臭剤が内蔵される収納空間を有し、前記冷蔵室の内部に装着されるケースと、
前記ケースに着脱自在に装着され、前記脱臭剤が前記ケースから離脱することを防止するカバーとを含み、
前記ケース及び前記カバーのそれぞれに、冷気が通過する冷気通路が形成され、前記ケースと前記カバー間の一側には、前記カバーを前記ケースに回転自在に結合するヒンジ部が備えられ、前記ケースと前記カバー間の他側には、前記カバーと前記ケースが係合するように、フックとフックホールが形成されていることを特徴とする冷蔵庫。
【請求項２】
前記脱臭剤は、微細多孔を有して反復的に折り畳んで形成された支持体と、前記支持体の表面に被覆されて脱臭作用を有するカーボンナノボールとからなることを特徴とする請求項１記載の冷蔵庫。
【請求項３】
前記支持体は、繊維質または合成樹脂により形成されていることを特徴とする請求項２記載の冷蔵庫。
【請求項４】
前記カーボンナノボールは、２００〜５００ｎｍの大きさの中空型炭素構造からなることを特徴とする請求項２記載の冷蔵庫。
【請求項５】
前記カーボンナノボールは、活性炭の約２倍のＢＥＴ表面積（１４５０ｍ２／ｇ）、約６倍のメソ孔容積（８８０ｍ２／ｇ）、及び約２倍の細孔容積（１．２７ｃｍ３）の大きさを有することを特徴とする請求項２記載の冷蔵庫。
【発明の詳細な説明】
【技術分野】
【０００１】
本発明は、冷蔵庫用脱臭剤に関し、詳しくは、冷気と接触する表面積を増大して脱臭性能を向上できる冷蔵庫用脱臭剤に関するものである。
【背景技術】
【０００２】
一般的に、冷蔵庫は、冷凍サイクルを通過しながら冷却された冷気が循環ファンの駆動により冷凍室及び冷蔵室に送風され、冷凍室に保存された食物を冷凍するか、または冷蔵室に保存された食物を低温に維持して食物の新鮮度を維持する。
【０００３】
冷蔵室は、食物が凍結された状態で保存される冷凍室と異なって、食物を結氷点以上の温度で保存するため、保存された食物から臭いが発生する。従って、冷蔵室の内部には、冷蔵室に保存された各種の食物から発生する臭いを除去するための脱臭剤が装着される。
【０００４】
図５は、一般的な冷蔵庫を示した断面図である。
一般的なサイドバイサイドタイプの冷蔵庫は、内部に収納空間を有する本体１０と、前記本体１０の左/右側のいずれか一方に配置されて冷凍食品を保管する冷凍室１２と、前記冷凍室１２とマリオン壁(mullion  wall)１６により区画され、本体１０の左/右側の他方に配置されて冷蔵食品を保管する冷蔵室１４と、から構成される。
【０００５】
前記冷凍室１２の上側後壁面には、空気が通過しながら冷却される熱交換器１８と、前記熱交換器１８を通過しながら冷却された冷気を前記冷蔵室１４の内部に強制送風する送風ファン２０と、が装着される。
【０００６】
前記マリオン壁１６の上側には、送風ファン２０から送風される冷気を冷蔵室１４に供給する冷気供給通路２２が形成され、前記マリオン壁１６の下側には、冷蔵室１４を循環しながら冷却作用を終了した冷気が熱交換器１８に流入される冷気吸入通路２４が形成される。
【０００７】
前記冷蔵室１４には、前記冷気供給通路２２と連通し、かつ前記冷蔵室の後壁面に装着されて冷蔵室１４の後方から冷気を吐出する後方冷気吐出ダクト２６と、前記冷蔵室１４の左側に装着されて冷蔵室１４の左側から冷気を吐出する左側冷気吐出ダクト２８と、前記冷蔵室１４の右側から冷気を吐出する右側冷気吐出ダクト３０と、が装備されている。
そして、前記冷気吸入通路２４には、冷蔵室を循環しながら冷蔵室に保管された食品の冷却作用を終了した冷気中の臭いを除去する脱臭剤組立体３２が装着される。
【０００８】
図６は、従来の脱臭剤組立体を示した分解斜視図である。
従来の脱臭剤組立体は、前記冷気吸入通路２４に装着されて、収納空間１１６及び冷気が通過する多数の貫通孔１１８を有するケース１１０と、前記収納空間１１６に内蔵されて、冷気の通過時に臭いを除去する脱臭剤１１４と、前記ケース１１０に装着されて脱臭剤１１４を保護し、冷気が通過する多数の貫通孔１２０を有するカバー１１２と、から構成される。
【０００９】
前記脱臭剤１１４は、前記ケース１１０の収納空間１１６に挿入される所定厚さの直六面体状であって、冷気が通過する多数の貫通孔１２４が形成される。
このように従来の脱臭剤組立体の作用を察してみると、カバー１１２の貫通孔１２０を通して冷蔵室１４の内部を循環した冷気が吸入され、前記脱臭剤１１４に形成された貫通孔１２４を通過しながら臭いが除去される。次いで、前記脱臭剤１１４を通過しながら脱臭作用を終えた冷気は、ケース１１０の貫通孔１１８を通して冷気吸入通路２４に流入される。
【００１０】
然し、このような従来の脱臭剤組立体は、脱臭剤１１４に形成された貫通孔１２４を通して冷気が通過しながら臭いが除去されるため、前記貫通孔１２４の面積を大きくすると、前記貫通孔１２４を通過する冷気中一部の臭いのみが除去されて脱臭性能が低下し、前記貫通孔１２４の面積を小さくすると、空気の流路抵抗が発生して円滑に吸入できないという問題点があった。
【発明の開示】
【発明が解決しようとする課題】
【００１１】
本発明は、このような従来の問題点に鑑みて、脱臭剤をメッシュタイプに形成して冷気と接触する表面積を極大化することで、脱臭性能を向上できる冷蔵庫用脱臭剤を提供することを目的とする。
【課題を解決するための手段】
【００１２】
このような目的を達成するため、本発明の冷蔵庫用脱臭剤は、冷蔵室内部の冷気が通過する微細多孔を有するメッシュタイプに形成され、かつ空気と接触する表面積を広くすることができるように反復的に折り畳まれて形成されていることを特徴とする。
【００１３】
好適には、前記脱臭剤は、微細多孔を有して反復的に折れて形成される支持体の表面に脱臭作用を遂行するカーボンナノボールが被覆されて形成されていることを特徴とする。
【００１４】
好適には、前記支持体は、繊維質により形成されていることを特徴とする 。
【発明の効果】
【００１５】
本発明の脱臭剤には、その表面にカーボンナノボールが被覆されて脱臭作用を行うため、脱臭能力を極大化できるという効果がある。
また、本発明の脱臭剤には、微細多孔を有するメッシュタイプに形成されて冷気の流路抵抗が発生しないため、冷気の流れを円滑にできるという効果がある。
また、本発明の脱臭剤には、しわが反復形成される構造となって冷気が接触する表面積を極大化し、脱臭性能を向上できるという効果がある。
【発明を実施するための最良の形態】
【００１６】
以下、本発明の実施形態に関し、図面に基づいて説明する。
図１は、本発明に係る冷蔵庫用脱臭剤を示した分解斜視図で、図２は、本発明に係る冷蔵庫用脱臭剤を示した断面図である。
【００１７】
本発明に係る冷蔵庫は、図５を参照して説明すると、内部に収納空間を有する本体１０と、前記本体１０の左/右側のいずれか一方に配置されて冷凍食品を保管する冷凍室１２と、前記冷凍室１２とマリオン壁１６により区画され、本体１０の左/右側の他方に配置されて冷蔵食品を保管する冷蔵室１４と、前記冷蔵室１４の一側に装着されて、冷蔵室１４に保存された食品から発生する臭いを除去する脱臭剤組立体３２と、を含んで構成される。
【００１８】
前記冷凍室１２の上側後壁面には、空気が通過しながら冷却される熱交換器１８と、前記熱交換器１８を通過しながら冷却された冷気を前記冷蔵室１４の内部に強制送風する送風ファン２０と、が装着される。
【００１９】
前記マリオン壁１６の上側には、送風ファン２０から送風される冷気を冷蔵室１４に供給する冷気供給通路２２が形成され、前記マリオン壁１６の下側には、冷蔵室１４を循環しながら冷却作用を終了した冷気が熱交換器１８に流入される冷気吸入通路２４が形成される。
【００２０】
前記冷蔵室１４には、前記冷気供給通路２２と連通し、かつ前記冷蔵室１４の後壁面に装着されて冷蔵室１４の後方から冷気を吐出する後方冷気吐出ダクト２６と、前記冷蔵室１４の左側に装着されて冷蔵室１４の左側から冷気を吐出する左側冷気吐出ダクト２８と、前記冷蔵室１４の右側に装着されて冷蔵室１４の右側から冷気を吐出する右側冷気吐出ダクト３０と、が装備される。
【００２１】
前記脱臭剤組立体３２は、図１及び図２に基づいて説明すると、前記冷気吸入通路２４上に装着されて、前記冷蔵室を循環しながら冷蔵室に保管された食品の冷却作用を終了した冷気中の臭いを除去する。このような脱臭剤組立体３２は、冷気吸入通路２４の他に、冷気が通過する如何なる位置にも装着が可能である。
【００２２】
このような脱臭剤組立体３２は、微細多孔５２を有するメッシュタイプに形成される脱臭剤５０と、前記脱臭剤５０が内蔵される収納空間６２を有して冷蔵室１４の内部に装着されるケース６０と、前記ケース６０に着脱自在に装着されて、脱臭剤５０がケース６０から離脱することを防止するカバー７０と、から構成される。
【００２３】
ここで、前記ケース６０及びカバー７０には、冷気が通過する冷気通路６４、７４がそれぞれ設けられ、ケース６０とカバー７０との間には、前記カバー７０をケース６０に回転自在に連結するヒンジ部７６が形成される。また、前記カバー７０にはフック８０が形成され、前記ケース６０には、前記フック８０と係合するフックホール８４が形成されることによって、前記カバー７０がケース６０に固定される。
【００２４】
前記脱臭剤５０は、図３及び図４に示したように、微細多孔５２を有して、冷気と接触する表面積を極大化するようにしわが反復形成された支持体５４と、前記支持体５４の表面にスプレー方式で塗布されて臭いを除去するカーボンナノボール５６と、から構成される。
【００２５】
ここで、前記支持体５４は、繊維質または合成樹脂材により形成されることが好ましい。
【００２６】
前記カーボンナノボール５６は、２００〜５００nm大きさの中空型炭素構造体であって、数nmの気孔及び表面吸着位置が非常に発達して、空気中の悪臭成分及び有機物質を効果的に吸着する素材である。このカーボンナノボールは、活性炭の約２倍のBET表面積(１４５０m2/g)、約６倍のメソ孔容積(８８０m2/g)及び約２倍の細孔容積(１．２７cm3)を有する。また、カーボンナノボールの性能としての悪臭ガス除去力は、活性炭と対比してアンモニアで８倍、メチルメルカプタンで１０倍、ティメチルアミンで１２倍以上である。
【００２７】
以下、このように構成された本発明に係る脱臭剤組立体の作用を説明する。
微細多孔５２を有するメッシュタイプの脱臭剤５０をケース６０の収納空間６２に保存し、前記ケース６０にカバー７０を覆ってケース６０のフックホール８４とカバー７０のフック８０とを係合すると、脱臭剤組立体の組立が終了する。次いで、組み立てられた脱臭剤組立体を冷気吸入通路１４に装着する。
【００２８】
次いで、冷蔵庫が駆動されると、送風ファン２０が回転することにより、熱交換器１８を通過しながら冷却された冷気が冷気供給通路２２を通って冷蔵室１４に供給され、冷蔵室１４に保存された各種食品の冷却作用を行い、冷蔵室１４を循環しながら冷却作用を終了した冷気は、冷気吸入通路２４を通って熱交換器１８に再循環される。このとき、前記冷気吸入通路２４に装着された脱臭剤組立体を冷気が通過しながら、冷気に含まれた臭いが除去される。
【００２９】
ここで、脱臭剤５０は、微細多孔５２を有するメッシュタイプに形成されているため、冷気の流路抵抗がほぼない状態で通過して冷気の流れが円滑に行われ、脱臭剤５０のしわが反復形成された構造であるため、冷気と接触する表面積を極大化して脱臭効果を向上することができる。
【図面の簡単な説明】
【００３０】
【図１】本発明に係る冷蔵庫用脱臭剤組立体を示した分解斜視図である。
【図２】本発明に係る冷蔵庫用脱臭剤組立体を示した断面図である。
【図３】図２のA部拡大図である。
【図４】本発明に係る冷蔵庫用脱臭剤を示した斜視図である。
【図５】一般的なサイドバイサイドタイプの冷蔵庫を示した断面図である。
【図６】従来の冷蔵庫用脱臭剤組立体を示した分解斜視図である。
【符号の説明】
【００３１】
５０    脱臭剤
５２    微細多孔
５４    支持体
５６    カーボンナノボール
６０    ケース
６２    収納空間
６４    冷気通路
７０    カバー
７４    冷気通路
７６    ヒンジ部
８０    フック
８４    フックホール
【図１】
0004634110.tif 000002
【図２】
0004634110.tif 000003
【図３】
0004634110.tif 000004
【図４】
0004634110.tif 000005
【図５】
0004634110.tif 000006
【図６】
0004634110.tif 000007